(57)【要約】【課題】進行している車両を逆行させる状態にシフト装置が切り替えられた場合に生じるショックを軽減するように車両を制御できる車両制御装置を提供することを課題とする。【解決手段】車両が進行している状態でシフト装置が操作されて、車両の進行方向を逆行させる走行レンジが選択されたとき、車両制御装置は、摩擦制動力を発生させて車両の進行速度を減速させる。そして、車両制御装置は、車速を示す速度値Ｖｃが所定の速度切替値Ｖ１に達したときに摩擦制動力の発生を停止するとともに、要求駆動力Ｐｒｅｑに対して一次遅れフィルタを作用させることなく、緩やかに実駆動力Ｐｒｅａｌを変化させて要求駆動力Ｐｒｅｑに相当する実駆動力Ｐｒｅａｌを発生させる。【選択図】図４
2016010299.tif 000002
【特許請求の範囲】
【請求項１】
アクセルペダルの踏み込み操作量に応じて設定される要求駆動力相当の駆動力を発生する力行状態、及び、蓄電装置に蓄電する電力を発電することで回生制動力を発生する回生状態、が切り替わる電動機と、
運転者によって操作されて前進レンジと後進レンジを含んだ走行レンジの１つを選択可能なシフト装置と、
前記蓄電装置が所定の状態となったときに前記回生制動力に替わって摩擦制動力を発生する摩擦制動力発生装置と、を有する車両に備わり、
前記要求駆動力に一次遅れフィルタを作用させて、前記要求駆動力に対して一次遅れで前記駆動力が変化するように前記電動機を制御する車両制御装置であって、
前記蓄電装置が前記所定の状態となっている場合に、前記車両が進行している状態で前記シフト装置が操作されて、前記車両の進行方向を逆行させる走行レンジが選択されたときに前記摩擦制動力を発生させて前記車両の進行速度を減速し、
前記進行速度が所定速度まで低下したときに前記摩擦制動力の発生を停止するとともに、前記要求駆動力に前記一次遅れフィルタが作用した場合よりも緩やかに前記駆動力を変化させることを特徴とする車両制御装置。
【請求項２】
前記進行速度が前記所定速度まで低下したときに前記摩擦制動力が漸減するように当該摩擦制動力の発生を停止し、
前記摩擦制動力が変化する割合よりも低い割合で前記駆動力を変化させることを特徴とする請求項１に記載の車両制御装置。
【請求項３】
前記車両が停車したと判定する速度を前記所定速度とすることを特徴とする請求項１又は請求項２に記載の車両制御装置。
【発明の詳細な説明】
【技術分野】
【０００１】
本発明は、車両制御装置に関する。
【背景技術】
【０００２】
特許文献１には、駆動源としての電動機を有する車両において摩擦制動力と回生制動力を併用可能な制動力制御装置が開示されている。
例えば、運転者がシフト装置を操作して、後進している車両の進行方向を前進に切り替える場合、特許文献１に開示されるように制動力制御装置を備える車両では回生制動力を発生させて後進している車速を減速可能である。
【先行技術文献】
【特許文献】
【０００３】
【特許文献１】特開２０００−０６２５９０号公報
【発明の概要】
【発明が解決しようとする課題】
【０００４】
特許文献１に記載される制動力制御装置は、バッテリの充電状態によっては回生制動力を発生しない。このような場合、後進速度が発生している車両のシフト装置が操作されて前進の状態に切り替えられたときには、この後進速度から前進速度に切り替わるように摩擦制動力を発生させて車速（後進速度）を減速させる。また、車両が前進速度を発生可能な状態になると摩擦制動力の発生を停止して、電動機を回生状態から力行状態に切り替える。しかしながら、バッテリの充電状態の影響で回生制動力が発生できない状態から力行状態に切り替える際には、力行状態となった電動機が発生する駆動力が急増してしまう。このような状態では運転者を含む搭乗者がショックを感じる。
【０００５】
そこで本発明は、進行している車両を逆行させる状態にシフト装置が切り替えられた場合に生じるショックを軽減するように車両を制御できる車両制御装置を提供することを課題とする。
【課題を解決するための手段】
【０００６】
前記課題を解決するため本発明は、アクセルペダルの踏み込み操作量に応じて設定される要求駆動力相当の駆動力を発生する力行状態、及び、蓄電装置に蓄電する電力を発電することで回生制動力を発生する回生状態、が切り替わる電動機と、運転者によって操作されて前進レンジと後進レンジを含んだ走行レンジの１つを選択可能なシフト装置と、前記蓄電装置が所定の状態となったときに前記回生制動力に替わって摩擦制動力を発生する摩擦制動力発生装置と、を有する車両に備わり、前記要求駆動力に一次遅れフィルタを作用させて、前記要求駆動力に対して一次遅れで前記駆動力が変化するように前記電動機を制御する車両制御装置とする。そして、前記蓄電装置が前記所定の状態となっている場合に、前記車両が進行している状態で前記シフト装置が操作されて、前記車両の進行方向を逆行させる走行レンジが選択されたときに前記摩擦制動力を発生させて前記車両の進行速度を減速し、前記進行速度が所定速度まで低下したときに前記摩擦制動力の発生を停止するとともに、前記要求駆動力に前記一次遅れフィルタが作用した場合よりも緩やかに前記駆動力を変化させることを特徴とする。
【０００７】
本発明によると、進行している車両を逆行させる走行レンジにシフト装置が切り替えられる場合に、車両制御装置は、車両を逆方向に進行させる駆動力を緩やかに変化させることができる。これによって、進行方向が逆方向に変わるときに発生するショックが軽減される。したがって、進行している車両を逆行させる走行レンジにシフト装置が切り替えられた場合に生じるショックを軽減するように車両を制御できる車両制御装置とすることができる。
【０００８】
また、本発明の車両制御装置は、前記進行速度が前記所定速度まで低下したときに、前記摩擦制動力が漸減するように当該摩擦制動力の発生を停止し、前記摩擦制動力が変化する割合よりも低い割合で前記駆動力を変化させることを特徴とする。
【０００９】
本発明によると、漸減する摩擦制動力が漸増する駆動力に切り替わるため、摩擦制動力から駆動力への切り替わりがより滑らかになる。したがって、車両の進行方向が逆方向に変わるときに生じるショックがより効果的に軽減される。
【００１０】
また、本発明の車両制御装置は、前記車両が停車したと判定する速度を前記所定速度とすることを特徴とする。
本発明によると、車両が停車してから摩擦制動力が駆動力に切り替わるため、摩擦制動力から駆動力へ切り替わる際のショックがさらに効果的に軽減される。
【発明の効果】
【００１１】
本発明によると、進行している車両を逆行させる状態にシフト装置が切り替えられた場合に生じるショックを軽減するように車両を制御できる車両制御装置を提供することができる。
【図面の簡単な説明】
【００１２】
【図１】第１実施形態に係る車両の構成図である。
【図２】要求駆動力と実駆動力を示す図である。
【図３】第１実施形態に係る車両用ブレーキシステムの概略構成図である。
【図４】（ａ）は、車速の変化を示す図、（ｂ）は、実駆動力が緩やかに上昇する状態を示す図である。
【図５】車両制御装置が要求駆動力に一次遅れフィルタを作用させることなく電動機を制御することを決定するロジックを示すフローチャートである。
【図６】（ａ）は、第２実施形態における車速の変化を示す図、（ｂ）は、車速が基準速度になってから実駆動力が上昇する状態を示す図である。
【図７】第２実施形態の車両制御装置が要求駆動力に一次遅れフィルタを作用させることなく電動機を制御することを決定するロジックを示すフローチャートである。
【図８】摩擦制動力が漸減する状態を示す図である。
【発明を実施するための形態】
【００１３】
《第１実施形態》
以下、本発明の第１実施形態について、適宜図面を参照しながら詳細に説明する。
【００１４】
図１は第１実施形態に係る車両の構成図である。
第１実施形態に係る車両用ブレーキシステム１０は、図１に示すように構成される車両１に備わる。車両１は、電動機２００が動力源として備わる電動車両である。車両１は、電動機２００で発生する駆動力が駆動輪（例えば、右側前輪ＷＦＲ，左側前輪ＷＦＬ）に伝達されて走行する。電動機２００で発生する駆動力を実駆動力Ｐｒｅａｌと称する。
電動機２００は、車両制御装置１５０によって制御される。車両制御装置１５０は、電動機２００の制御部（図示しないＥＣＵ：Engine Control Unit等）に指令を与え、電動機２００から出力される実駆動力Ｐｒｅａｌを調節する。
なお、車両１は、電動機２００とともにエンジン（図示せず）が備わるハイブリッド車両であってもよい。
また、車両１は、後輪（左側後輪ＷＲＬ，右側後輪ＷＲＲ）が駆動輪であってもよいし、全ての車輪（右側前輪ＷＦＲ，左側前輪ＷＦＬ，左側後輪ＷＲＬ，右側後輪ＷＲＲ）が駆動輪であってもよい。
【００１５】
車両制御装置１５０は、ブレーキペダル１２の踏み込み操作量に応じた制動力を車両用ブレーキシステム１０で発生させる。車両用ブレーキシステム１０で発生した制動力が車輪（右側前輪ＷＦＲ，左側前輪ＷＦＬ，左側後輪ＷＲＬ，右側後輪ＷＲＲ）の回転を停止させて車両１を停車させる。
【００１６】
シフト装置６ｂは、セレクトレバー６ａを介して運転者に操作されて複数の走行レンジの１つを選択可能に構成される。
シフト装置６ｂは、車両１を後進させるレンジ（以下、後進レンジと称する）と、車両１を前進させるレンジ（ドライブレンジ等を含むレンジであり、以下、前進レンジと称する）を選択可能になっている。
【００１７】
このように、本実施形態のシフト装置６ｂは、車両１が前進する前進レンジと、車両１が後進する後進レンジと、を含んだ走行レンジの１つを選択可能に構成されている。シフト装置６ｂによって前進レンジが選択されたとき、車両制御装置１５０は車両１を前進状態に設定する。車両１は実駆動力Ｐｒｅａｌに応じて前進する。
シフト装置６ｂによって後進レンジが選択されたとき、車両制御装置１５０は車両１を後進状態に設定する。車両１は実駆動力Ｐｒｅａｌに応じて後進する。
車両制御装置１５０はシフト装置６ｂに備わる変速装置（図示せず）を制御して車両１の前進状態と後進状態を切り替える。
以下、シフト装置６ｂによって選択された走行レンジを車両１の走行レンジとする。
【００１８】
なお、運転者が操作する操作子はセレクトレバー６ａに限定されない。例えば、プッシュスイッチやロータリスイッチなどのスイッチ操作部が操作子であってもよい。
また、シフト装置６ｂが選択可能な走行レンジに、前進レンジや後進レンジと異なる他のレンジ（例えば、駐車用のパーキングレンジなど）が含まれていてもよい。
【００１９】
車両制御装置１５０は、アクセルペダル７の踏み込み操作量に応じた駆動力（要求駆動力Ｐｒｅｑ）を設定する。例えば、アクセルペダル７の踏み込み操作量と、要求駆動力Ｐｒｅｑと、の関係を示すマップがあらかじめ設定されている。そして、車両制御装置１５０は、アクセルペダル７の踏み込み操作量にもとづいて当該マップを参照して要求駆動力Ｐｒｅｑを設定するように構成されている。
例えば、アクセルペダル７の踏み込み操作量を検出する図示しないセンサ（ストロークセンサ等）が備わり、車両制御装置１５０は当該センサから入力される検出信号によってアクセルペダル７の踏み込み操作量を算出するように構成される。
【００２０】
車両制御装置１５０は、設定した要求駆動力Ｐｒｅｑに相当する実駆動力Ｐｒｅａｌを電動機２００で発生させる。つまり、車両制御装置１５０は、要求駆動力Ｐｒｅｑ相当の実駆動力Ｐｒｅａｌが出力するように電動機２００を制御する。電動機２００が出力する実駆動力Ｐｒｅａｌは駆動輪（右側前輪ＷＦＲ，左側前輪ＷＦＬ）を駆動させる。これによって車両１が走行する。
【００２１】
図２は要求駆動力と実駆動力を示す図である。図２の縦軸は駆動力（Ｐ）を示し、横軸は時間（Ｔ）を示す。また、破線は要求駆動力Ｐｒｅｑを示し、実線は実駆動力Ｐｒｅａｌを示す。図２は、図１に示す車両１が停車している場合など、電動機２００が駆動力を発生していない状態でアクセルペダル７が踏み込み操作されたときの要求駆動力Ｐｒｅｑと実駆動力Ｐｒｅａｌを示している。
【００２２】
停車している車両１（図１参照）のアクセルペダル７（図１参照）が踏み込み操作されたとき、車両制御装置１５０（図１参照）は、図２に破線で示すように、アクセルペダル７の踏み込み操作量に応じた駆動力（要求駆動力Ｐｒｅｑ）を設定する。
【００２３】
そして、車両制御装置１５０（図１参照）は、要求駆動力Ｐｒｅｑ相当の実駆動力Ｐｒｅａｌが出力されるように電動機２００を制御する。このとき、車両制御装置１５０は、要求駆動力Ｐｒｅｑの変化（立ち上がり）に対して、実駆動力Ｐｒｅａｌが所定の遅れをもって変化（追従）するように電動機２００を制御する。図２に実線で示すように、車両制御装置１５０は、要求駆動力Ｐｒｅｑの増大に対して実駆動力Ｐｒｅａｌが所定の遅れ（一次遅れ）で増大するように電動機２００を制御する（Ａ１部参照）。また、車両制御装置１５０は、要求駆動力Ｐｒｅｑの減少に対して実駆動力Ｐｒｅａｌが一次遅れで減少するように電動機２００を制御する（Ａ２部参照）。このように、車両制御装置１５０は、要求駆動力Ｐｒｅｑ（破線）の変化に対して一次遅れで実駆動力Ｐｒｅａｌ（実線）が変化するように電動機２００を制御する。換言すると、車両制御装置１５０は、要求駆動力Ｐｒｅｑに一次遅れフィルタを作用させて、要求駆動力Ｐｒｅｑに対して一次遅れで実駆動力Ｐｒｅａｌが変化するように電動機２００を制御する。
【００２４】
そして、要求駆動力Ｐｒｅｑが変化したとき、所定の遅れ時間で実駆動力Ｐｒｅａｌが要求駆動力Ｐｒｅｑに収束し、車両１（図１参照）は、要求駆動力Ｐｒｅｑ相当の実駆動力Ｐｒｅａｌで走行する。
要求駆動力Ｐｒｅｑの変化に対する実駆動力Ｐｒｅａｌの応答が一次遅れになると、要求駆動力Ｐｒｅｑが急変する場合における実駆動力Ｐｒｅａｌの急変が抑制される。そして、加速時のショックが軽減されるなど良好なドライブフィールが実現される。
【００２５】
図１に示す車両制御装置１５０は、例えば、いずれも図示しないＣＰＵ（Central Processing Unit）、ＲＯＭ（Read Only Memory）、ＲＡＭ（Random Access Memory）等から構成されるマイクロコンピュータ及び周辺機器からなる。そして、車両制御装置１５０は、あらかじめＲＯＭに記憶されているプログラムをＣＰＵで実行し、電動機２００や車両用ブレーキシステム１０を制御する。
【００２６】
図３は第１実施形態に係る車両用ブレーキシステムの概略構成図である。
図３に示すように、車両用ブレーキシステム１０は、入力装置１４と、ペダルストロークセンサＳｔと、電動ブレーキアクチュエータ（モータシリンダ装置１６）と、車両挙動安定化装置１８（以下、ＶＳＡ（ビークルスタビリティアシスト）装置１８という、ＶＳＡ；登録商標）と、を備えて構成されている。
入力装置１４は、運転者によってブレーキペダル１２等の操作子が操作されたときにその操作の入力に応じた液圧（ブレーキ液圧）を、作動液であるブレーキ液に発生させる。ペダルストロークセンサＳｔは、ブレーキペダル１２が踏み込み操作されたときの操作量（ストローク）を計測する。モータシリンダ装置１６は、各車輪（右側前輪ＷＦＲ，左側後輪ＷＲＬ，右側後輪ＷＲＲ，左側前輪ＷＦＬ）のホィールシリンダ３２ＦＲ，３２ＲＬ，３２ＲＲ，３２ＦＬに供給される作動圧（ブレーキ液圧）を作動液（ブレーキ液）に発生する。ＶＳＡ装置１８は、車両挙動の安定化を支援する。
第１実施形態においては、車両用ブレーキシステム１０に備わるモータシリンダ装置１６がブレーキ液圧を発生する。したがって、車両用ブレーキシステム１０が液圧発生装置になる。
【００２７】
これらの入力装置１４、モータシリンダ装置１６、及び、ＶＳＡ装置１８は、例えば、ホースやチューブ等の管材で形成された管路（液圧路）によって接続されている。また、バイ・ワイヤ式のブレーキシステムとして、入力装置１４とモータシリンダ装置１６とは、図示しないハーネスで電気的に接続されている。
【００２８】
このうち、液圧路について説明すると、図３中（中央やや下）の連結点Ａ１を基準として、入力装置１４の接続ポート２０ａと連結点Ａ１とが第１配管チューブ２２ａによって接続されている。また、モータシリンダ装置１６の出力ポート２４ａと連結点Ａ１とが第２配管チューブ２２ｂによって接続されている。さらに、ＶＳＡ装置１８の導入ポート２６ａと連結点Ａ１とが第３配管チューブ２２ｃによって接続されている。
【００２９】
図３中の他の連結点Ａ２を基準として、入力装置１４の他の接続ポート２０ｂと連結点Ａ２とが第４配管チューブ２２ｄによって接続されている。また、モータシリンダ装置１６の他の出力ポート２４ｂと連結点Ａ２とが第５配管チューブ２２ｅによって接続されている。さらに、ＶＳＡ装置１８の他の導入ポート２６ｂと連結点Ａ２とが第６配管チューブ２２ｆによって接続されている。
【００３０】
ＶＳＡ装置１８には、複数の導出ポート２８ａ〜２８ｄが設けられる。第１導出ポート２８ａは、第７配管チューブ２２ｇによって右側前輪ＷＦＲに設けられたディスクブレーキ機構３０ａのホィールシリンダ３２ＦＲと接続される。第２導出ポート２８ｂは、第８配管チューブ２２ｈによって左側後輪ＷＲＬに設けられたディスクブレーキ機構３０ｂのホィールシリンダ３２ＲＬと接続される。第３導出ポート２８ｃは、第９配管チューブ２２ｉによって右側後輪ＷＲＲに設けられたディスクブレーキ機構３０ｃのホィールシリンダ３２ＲＲと接続される。第４導出ポート２８ｄは、第１０配管チューブ２２ｊによって左側前輪ＷＦＬに設けられたディスクブレーキ機構３０ｄのホィールシリンダ３２ＦＬと接続される。
【００３１】
この場合、各導出ポート２８ａ〜２８ｄに接続される配管チューブ２２ｇ〜２２ｊによってブレーキ液がディスクブレーキ機構３０ａ〜３０ｄの各ホィールシリンダ３２ＦＲ，３２ＲＬ，３２ＲＲ，３２ＦＬに対して供給される。そして、各ホィールシリンダ３２ＦＲ，３２ＲＬ，３２ＲＲ，３２ＦＬ内のブレーキ液圧が上昇する。これによって、各ホィールシリンダ３２ＦＲ，３２ＲＬ，３２ＲＲ，３２ＦＬが作動し、対応する車輪（右側前輪ＷＦＲ，左側後輪ＷＲＬ，右側後輪ＷＲＲ，左側前輪ＷＦＬ）との摩擦力が高くなって制動力（摩擦制動力）が付与される。
したがって、第１実施形態においては、摩擦制動力を発生するホィールシリンダ３２ＦＲ，３２ＲＬ，３２ＲＲ，３２ＦＬが摩擦制動力発生装置になる。
【００３２】
また、右側前輪ＷＦＲ、左側後輪ＷＲＬ、右側後輪ＷＲＲ、左側前輪ＷＦＬのそれぞれには、車輪速を検出する車輪速センサ３５ａ，３５ｂ，３５ｃ，３５ｄがそれぞれ備わる。各車輪速センサ３５ａ，３５ｂ，３５ｃ，３５ｄが各車輪の車輪速を計測して発生する計測信号は車両制御装置１５０に入力される。
車両制御装置１５０は、車輪速センサ３５ａ，３５ｂ，３５ｃ，３５ｄから入力される計測信号に基づいて車両１の車速（車速値Ｖｃ）を算出する。
【００３３】
車速値Ｖｃは、車両１の車速を示す値である。第１実施形態では、車速値Ｖｃが正（Ｖｃ＞０）のとき車両１が前進することを示し、車速値Ｖｃが負（Ｖｃ＜０）のとき車両１が後進することを示す。そして、車速値Ｖｃが増大（正の方向に増大）するほど、後進速度が低くなり前進速度が高くなるとする。
【００３４】
電動機２００には回生制御装置２０１が接続されている。回生制御装置２０１は、駆動輪から電動機２００に入力されるトルクで発電された電力（回生電力）をバッテリ２０２などの蓄電装置に充電する機能を有する。回生制御装置２０１は、車両制御装置１５０で制御される。電動機２００で回生電力を発電させて制動力（回生制動力）を発生させる指令が車両制御装置１５０から入力されると、回生制御装置２０１は電動機２００を回生の状態（回生状態）に切り替える。そして、回生制御装置２０１は、電動機２００が発電する回生電力をバッテリ２０２に充電する。
【００３５】
また、回生制御装置２０１は、回生制動力の強さを調節可能に構成される。回生制御装置２０１は、電動機２００に供給する界磁電流を変更して電動機２００による回生電力の発電量を調節し、回生制動力の強さを調節する。このように、回生制御装置２０１は、電動機２００に回生電力を発電させて回生制動力を発生させることができる。
なお、回生制御装置２０１が、電動機２００を制御して回生制動力を発生させる技術は公知の技術を利用すればよい。
【００３６】
また、電動機２００に実駆動力Ｐｒｅａｌを発生させる指令が車両制御装置１５０から入力されると、回生制御装置２０１は電動機２００を力行の状態（力行状態）に切り替える。
本実施形態の電動機２００は、車両制御装置１５０の指令に応じて、実駆動力Ｐｒｅａｌを発生する力行状態と、回生制動力を発生する回生状態と、が切り替わる。電動機２００は、回生状態に切り替わるとバッテリ２０２に蓄電する電力（回生電力）を発電することで回生制動力を発生する。
【００３７】
入力装置１４は、運転者によるブレーキペダル１２の操作によってブレーキ液に液圧（ブレーキ液圧）を発生可能なタンデム式のマスタシリンダ３４と、マスタシリンダ３４に付設されたリザーバ（第１リザーバ３６）とを有する。このマスタシリンダ３４のシリンダチューブ３８内には、シリンダチューブ３８の軸方向に沿って所定間隔離間する２つのピストン（セカンダリピストン４０ａ，プライマリピストン４０ｂ）が摺動自在に配設される。セカンダリピストン４０ａは、ブレーキペダル１２に近接して配置され、プッシュロッド４２を介してブレーキペダル１２と連結される。また、プライマリピストン４０ｂは、セカンダリピストン４０ａよりもブレーキペダル１２から離間して配置される。
【００３８】
また、シリンダチューブ３８の内壁には、一対のカップシール４４Ｐａ，４４Ｐｂ、及び、一対のカップシール４４Ｓａ，４４Ｓｂが装着されている。一対のカップシール４４Ｐａ，４４Ｐｂはリング状を呈し、プライマリピストン４０ｂの外周に摺接する。一対のカップシール４４Ｓａ，４４Ｓｂはリング状を呈し、セカンダリピストン４０ａの外周に摺接する。さらに、セカンダリピストン４０ａとプライマリピストン４０ｂの間には、ばね部材５０ａが配設される。プライマリピストン４０ｂとシリンダチューブ３８の閉塞端側の側端部３８ａと間には、他のばね部材５０ｂが配設される。
【００３９】
また、シリンダチューブ３８の側端部３８ａからプライマリピストン４０ｂの摺動方向に沿ってガイドロッド４８ｂが延設され、プライマリピストン４０ｂは、ガイドロッド４８ｂにガイドされて摺動する。
また、プライマリピストン４０ｂのセカンダリピストン４０ａ側の端部からセカンダリピストン４０ａの摺動方向に沿ってガイドロッド４８ａが延設され、セカンダリピストン４０ａは、ガイドロッド４８ａにガイドされて摺動する。
そして、セカンダリピストン４０ａとプライマリピストン４０ｂはガイドロッド４８ａで連結されて直列に配置される。
【００４０】
また、マスタシリンダ３４のシリンダチューブ３８には、２つのサプライポート（第２サプライポート４６ａ、第１サプライポート４６ｂ）と、２つのリリーフポート（第２リリーフポート５２ａ、第１リリーフポート５２ｂ）と、２つの出力ポート５４ａ、５４ｂとが設けられる。この場合、第２サプライポート４６ａ、第１サプライポート４６ｂ及び第２リリーフポート５２ａ、第１リリーフポート５２ｂは、それぞれ合流して第１リザーバ３６内の図示しないリザーバ室と連通するように設けられる。
さらに、セカンダリピストン４０ａの外周に摺接する一対のカップシール４４Ｓａ，４４Ｓｂは、セカンダリピストン４０ａの摺動方向に第２リリーフポート５２ａを挟んで配置される。また、プライマリピストン４０ｂの外周に摺接する一対のカップシール４４Ｐａ，４４Ｐｂは、プライマリピストン４０ｂの摺動方向に第１リリーフポート５２ｂを挟んで配置される。
【００４１】
また、マスタシリンダ３４のシリンダチューブ３８内には、運転者がブレーキペダル１２を踏み込む踏力に対応したブレーキ液圧を発生する第２圧力室５６ａ及び第１圧力室５６ｂが設けられる。第２圧力室５６ａは、第２液圧路５８ａを介して接続ポート２０ａと連通するように設けられる。第１圧力室５６ｂは、第１液圧路５８ｂを介して他の接続ポート２０ｂと連通するように設けられる。つまり、第２液圧路５８ａは、第２圧力室５６ａの出力ポート５４ａと接続ポート２０ａを接続する。また、第１液圧路５８ｂは、第１圧力室５６ｂの出力ポート５４ｂと接続ポート２０ｂを接続する。
第１圧力室５６ｂと第２圧力室５６ａの間は、一対のカップシール４４Ｐａ，４４Ｐｂによって液密に封じられる。また、第２圧力室５６ａのブレーキペダル１２側は、一対のカップシール４４Ｓａ，４４Ｓｂによって液密に封じられる。
【００４２】
第１圧力室５６ｂは、プライマリピストン４０ｂの変位に応じたブレーキ液圧を発生するように構成され、第２圧力室５６ａは、セカンダリピストン４０ａの変位に応じたブレーキ液圧を発生するように構成される。
また、セカンダリピストン４０ａはブレーキペダル１２とプッシュロッド４２を介して連結され、ブレーキペダル１２の動作にともなってシリンダチューブ３８内を変位する。さらに、プライマリピストン４０ｂは、セカンダリピストン４０ａの変位によって第２圧力室５６ａに発生するブレーキ液圧によって変位する。つまり、プライマリピストン４０ｂはセカンダリピストン４０ａに応動して変位する。
【００４３】
マスタシリンダ３４と接続ポート２０ａとの間であって、第２液圧路５８ａの上流側には圧力センサＰｍが配設される。また、第２液圧路５８ａの下流側には、ノーマルオープンタイプ（常開型）のソレノイドバルブからなる第２遮断弁６０ａが設けられる。この圧力センサＰｍは、第２液圧路５８ａ上において、第２遮断弁６０ａよりもマスタシリンダ３４側である上流側のブレーキ液圧を計測するものである。
【００４４】
マスタシリンダ３４と他の接続ポート２０ｂとの間であって、第１液圧路５８ｂの上流側には、ノーマルオープンタイプ（常開型）のソレノイドバルブからなる第１遮断弁６０ｂが設けられる。また、第１液圧路５８ｂの下流側には、圧力センサＰｐが設けられる。この圧力センサＰｐは、第１液圧路５８ｂ上において、第１遮断弁６０ｂよりもホィールシリンダ３２ＦＲ，３２ＲＬ，３２ＲＲ，３２ＦＬ側である下流側のブレーキ液圧を計測するものである。
【００４５】
この第２遮断弁６０ａ及び第１遮断弁６０ｂにおけるノーマルオープンとは、ノーマル位置（通電されていないときの弁体の位置）が開位置の状態（常時開）となるように構成されたバルブをいう。なお、図３において、第２遮断弁６０ａ及び第１遮断弁６０ｂは、ソレノイドが通電されて、図示しない弁体が作動した閉弁状態をそれぞれ示している。
【００４６】
マスタシリンダ３４と第１遮断弁６０ｂとの間の第１液圧路５８ｂには、第１液圧路５８ｂから分岐する分岐液圧路５８ｃが設けられる。分岐液圧路５８ｃには、ノーマルクローズタイプ（常閉型）のソレノイドバルブからなる第３遮断弁６２と、ストロークシミュレータ６４とが直列に接続される。この第３遮断弁６２におけるノーマルクローズとは、ノーマル位置（通電されていないときの弁体の位置）が閉位置の状態（常時閉）となるように構成されたバルブをいう。なお、図３において、第３遮断弁６２は、ソレノイドが通電されて、図示しない弁体が作動した開弁状態を示している。
【００４７】
このストロークシミュレータ６４は、バイ・ワイヤ制御時に、ブレーキペダル１２の踏み込み操作に対してストロークと反力を与えて、あたかも踏力によって制動力が発生しているかのように運転者に思わせる反力発生装置である。ストロークシミュレータ６４は、第１液圧路５８ｂ上であって、第１遮断弁６０ｂよりもマスタシリンダ３４側に配置されている。
【００４８】
ストロークシミュレータ６４は、閉塞された筒状のシリンダ６５に、弾性部材（第１リターンスプリング６６ａ及び第２リターンスプリング６６ｂ）と、ピストン部材（シミュレータピストン６８）と、が収容されて構成される。第１リターンスプリング６６ａと第２リターンスプリング６６ｂは、互いに直列に配置される。第１リターンスプリング６６ａのばね定数は、第２リターンスプリング６６ｂのばね定数よりも高い。
シリンダ６５内には、分岐液圧路５８ｃに連通する液圧室６５ａが設けられる。そして、マスタシリンダ３４の第１圧力室５６ｂから導出されるブレーキ液が分岐液圧路５８ｃを介して液圧室６５ａに導入される。
分岐液圧路５８ｃは、第１液圧系統７０ｂを構成する第１液圧路５８ｂから分岐している。したがって、シリンダ６５は第１液圧系統７０ｂに連通し、シリンダ６５内（液圧室６５ａ）には第１液圧系統７０ｂからブレーキ液が導入される。
【００４９】
シミュレータピストン６８は、シリンダ６５の内側（シリンダ内）を摺動するように備わる。シミュレータピストン６８は、第１及び第２リターンスプリング６６ａ，６６ｂによって液圧室６５ａ側に付勢される。
シミュレータピストン６８は、第１液圧系統７０ｂ（第１液圧路５８ｂ及び分岐液圧路５８ｃ）に生じるブレーキ液圧で第１及び第２リターンスプリング６６ａ，６６ｂ（弾性部材）が押圧されてブレーキペダル１２に付与する反力を発生する。
【００５０】
ストロークシミュレータ６４は、ブレーキペダル１２の踏み込み前期時にペダル反力の増加勾配を低く設定し、踏み込み後期時にペダル反力を高く設定してブレーキペダル１２のペダルフィーリングが、既存のマスタシリンダ３４を踏み込み操作したときのペダルフィーリングと同等になるように構成されている。
つまり、ストロークシミュレータ６４は、第１圧力室５６ｂから導出されるブレーキ液圧に応じた反力を発生する。この反力が、マスタシリンダ３４を介してブレーキペダル１２に付与されてペダル反力となる。
【００５１】
また、ストロークシミュレータ６４のシリンダ６５内は、シミュレータピストン６８によって、液圧室６５ａと背室６５ｂに区分される。
【００５２】
液圧路は、大別すると、第２液圧系統７０ａと第１液圧系統７０ｂから構成される。第２液圧系統７０ａは、マスタシリンダ３４の第２圧力室５６ａと複数のホィールシリンダ３２ＦＲ，３２ＲＬとを接続する。第１液圧系統７０ｂは、マスタシリンダ３４の第１圧力室５６ｂと複数のホィールシリンダ３２ＲＲ、３２ＦＬとを接続する。
【００５３】
第２液圧系統７０ａは、入力装置１４の第２液圧路５８ａと、配管チューブ２２ａ，２２ｂ，２２ｃ，２２ｇ，２２ｈとによって構成される。
第１液圧系統７０ｂは、入力装置１４の第１液圧路５８ｂと、配管チューブ２２ｄ，２２ｅ，２２ｆ，２２ｉ，２２ｊとによって構成される。
【００５４】
なお、分岐液圧路５８ｃがシリンダ６５の液圧室６５ａに接続しているため、第１液圧系統７０ｂは、シリンダ６５の液圧室６５ａに接続される。そして、シリンダ６５には、第１液圧系統７０ｂからブレーキ液が導入される。ストロークシミュレータ６４は、第１液圧系統７０ｂからブレーキ液を導入し、シミュレータピストン６８を付勢する第１リターンスプリング６６ａ及び第２リターンスプリング６６ｂを第１液圧系統７０ｂに生じるブレーキ液圧で押圧して反力を発生する。
【００５５】
モータシリンダ装置１６は、電動機（電動モータ７２）と、アクチュエータ機構７４と、アクチュエータ機構７４によって付勢されるシリンダ機構７６と、を有する。
【００５６】
アクチュエータ機構７４は、電動モータ７２の出力軸７２ｂ側に設けられ、ギヤ機構（減速機構）７８とボールねじ構造体８０とを有する。ギヤ機構７８は、複数のギヤが噛合して電動モータ７２の回転駆動力を伝達する。ボールねじ構造体８０は、ギヤ機構７８を介して回転駆動力が伝達されることで軸方向に沿って進退動作するボールねじ軸８０ａ及びボール８０ｂを含む。ボールねじ構造体８０は、ギヤ機構７８とともにアクチュエータハウジング１７２の機構収納部１７３ａに収納される。
【００５７】
シリンダ機構７６は、略円筒状のシリンダ本体８２と、シリンダ本体８２に付設された第２リザーバ８４とを有する。第２リザーバ８４は、入力装置１４のマスタシリンダ３４に付設された第１リザーバ３６と配管チューブ８６で接続され、第１リザーバ３６内に貯留されたブレーキ液が配管チューブ８６を介して第２リザーバ８４内に供給されるように設けられる。なお、配管チューブ８６に、ブレーキ液を貯留するタンクが備わっていてもよい。
そして、略円筒状を呈するシリンダ本体８２の開放された端部（開放端）がハウジング本体１７２Ｆとハウジングカバー１７２Ｒからなるアクチュエータハウジング１７２に嵌合してシリンダ本体８２とアクチュエータハウジング１７２が連結され、モータシリンダ装置１６が構成される。
【００５８】
シリンダ本体８２内には、シリンダ本体８２の軸方向に沿って所定間隔離間する第２スレーブピストン８８ａ及び第１スレーブピストン８８ｂが摺動自在に配設される。第２スレーブピストン８８ａは、ボールねじ構造体８０側に近接して配置され、ボールねじ軸８０ａの一端部に当接してボールねじ軸８０ａと一体的に矢印Ｘ１又はＸ２方向に変位する。また、第１スレーブピストン８８ｂは、第２スレーブピストン８８ａよりもボールねじ構造体８０側から離間して配置される。
以下、Ｘ１の側を前方、Ｘ２の側を後方とする。
【００５９】
また、電動モータ７２は、シリンダ本体８２と別体に形成されるモータケーシング７２ａで覆われて構成される。電動モータ７２は、出力軸７２ｂが第２スレーブピストン８８ａ及び第１スレーブピストン８８ｂの摺動方向（軸方向）と略平行になるように配置される。そして、出力軸７２ｂの回転駆動がギヤ機構７８を介してボールねじ構造体８０に伝達されるように構成される。
【００６０】
ギヤ機構７８は、例えば、第１ギヤ７８ａと、第３ギヤ７８ｃと、第２ギヤ７８ｂと、の３つのギヤで構成される。第１ギヤ７８ａは、電動モータ７２の出力軸７２ｂに取り付けられる。第３ギヤ７８ｃは、ボールねじ軸８０ａを軸方向に進退動作させるボール８０ｂをボールねじ軸８０ａの軸線を中心に回転させる。第３ギヤ７８ｃはボールねじ軸８０ａの軸線を中心に回転する。第２ギヤ７８ｂは、第１ギヤ７８ａの回転を第３ギヤ７８ｃに伝達する。
【００６１】
アクチュエータ機構７４は、前記した構造によって、電動モータ７２の出力軸７２ｂの回転駆動力をボールねじ軸８０ａの進退駆動力（直線駆動力）に変換する。
【００６２】
第１スレーブピストン８８ｂの外周面には、環状段部を介して、一対のスレーブカップシール９０ａ，９０ｂがそれぞれ装着される。一対のスレーブカップシール９０ａ，９０ｂの間には、後記するリザーバポート９２ｂと連通する第１背室９４ｂが形成される。
なお、第２及び第１スレーブピストン８８ａ，８８ｂの間には、第２リターンスプリング９６ａが配設され、第１スレーブピストン８８ｂとシリンダ本体８２の側端部と間には、第１リターンスプリング９６ｂが配設される。
【００６３】
また、第２スレーブピストン８８ａの外周面と機構収納部１７３ａとの間を液密にシールするとともに、第２スレーブピストン８８ａをその軸方向に対して移動可能にガイドする環状のガイドピストン９０ｃが、第２スレーブピストン８８ａの後方に備わっている。ガイドピストン９０ｃはシール部材として機能し、シリンダ本体８２を閉塞する。第２スレーブピストン８８ａが貫通するガイドピストン９０ｃの内周面には、図示しないスレーブカップシールが装着される。このスレーブカップシールによって、第２スレーブピストン８８ａとガイドピストン９０ｃの間が液密に構成されることが好ましい。さらに、第２スレーブピストン８８ａの前方の外周面には、環状段部を介して、スレーブカップシール９０ｂが装着される。
この構成によって、シリンダ本体８２の内部に充填されるブレーキ液がガイドピストン９０ｃによってシリンダ本体８２に封入され、アクチュエータハウジング１７２の側に流れ込まないように構成されている。
なお、ガイドピストン９０ｃとスレーブカップシール９０ｂの間には、後記するリザーバポート９２ａと連通する第２背室９４ａが形成される。
【００６４】
シリンダ機構７６のシリンダ本体８２には、２つのリザーバポート９２ａ，９２ｂと、２つの出力ポート２４ａ，２４ｂとが設けられる。この場合、リザーバポート９２ａ（９２ｂ）は、第２リザーバ８４内の図示しないリザーバ室と連通するように設けられる。
【００６５】
また、シリンダ本体８２内には、第２液圧室９８ａと、第１液圧室９８ｂが設けられる。第２液圧室９８ａは、出力ポート２４ａからホィールシリンダ３２ＦＲ，３２ＲＬ側へ出力されるブレーキ液圧を制御する。第１液圧室９８ｂは、他の出力ポート２４ｂからホィールシリンダ３２ＲＲ，３２ＦＬ側へ出力されるブレーキ液圧を制御する。
【００６６】
この構成によると、ブレーキ液が封入される第２背室９４ａ、第１背室９４ｂ、第２液圧室９８ａ、及び第１液圧室９８ｂは、シリンダ本体８２におけるブレーキ液の封入部になる。
【００６７】
第２スレーブピストン８８ａと第１スレーブピストン８８ｂとの間には、規制手段１００が設けられる。規制手段１００は、第２スレーブピストン８８ａと第１スレーブピストン８８ｂの最大ストローク（最大変位距離）と最小ストローク（最小変位距離）とを規制する。さらに、第１スレーブピストン８８ｂには、ストッパピン１０２が設けられる。ストッパピン１０２は、第１スレーブピストン８８ｂの摺動範囲を規制して、第２スレーブピストン８８ａ側へのオーバーリターンを阻止する。これによって、特にマスタシリンダ３４で制動するバックアップ時において、１つの系統が失陥したときに、他の系統の失陥が防止される。
【００６８】
ＶＳＡ装置１８は、公知のものからなり、第２ブレーキ系１１０ａと、第１ブレーキ系１１０ｂとを有する。第２ブレーキ系１１０ａは、右側前輪ＷＦＲ及び左側後輪ＷＲＬのディスクブレーキ機構３０ａ，３０ｂ（ホィールシリンダ３２ＦＲ，３２ＲＬ）に接続された第２液圧系統７０ａを制御する。第１ブレーキ系１１０ｂは、右側後輪ＷＲＲ及び左側前輪ＷＦＬのディスクブレーキ機構３０ｃ、３０ｄ（ホィールシリンダ３２ＲＲ，３２ＦＬ）に接続された第１液圧系統７０ｂを制御する。なお、第２ブレーキ系１１０ａは、左側前輪ＷＦＬ及び右側前輪ＷＦＲに設けられたディスクブレーキ機構に接続された液圧系統からなり、第１ブレーキ系１１０ｂは、右側後輪ＷＲＲ及び左側後輪ＷＲＬに設けられたディスクブレーキ機構に接続された液圧系統であってもよい。さらに、第２ブレーキ系１１０ａは、車体片側の右側前輪ＷＦＲ及び右側後輪ＷＲＲに設けられたディスクブレーキ機構に接続された液圧系統からなり、第１ブレーキ系１１０ｂは、車体片側の左側前輪ＷＦＬ及び左側後輪ＷＲＬに設けられたディスクブレーキ機構に接続された液圧系統であってもよい。
【００６９】
この第２ブレーキ系１１０ａ及び第１ブレーキ系１１０ｂは、それぞれ同一構造からなる。そこで、第２ブレーキ系１１０ａと第１ブレーキ系１１０ｂで対応するものには同一の参照符号を付している。また、第２ブレーキ系１１０ａの説明を中心にして、第１ブレーキ系１１０ｂの説明を括弧書きで付記する。
【００７０】
第２ブレーキ系１１０ａ（第１ブレーキ系１１０ｂ）は、ホィールシリンダ３２ＦＲ，３２ＲＬ（３２ＲＲ，３２ＦＬ）に対して、共通する管路（第１共通液圧路１１２及び第２共通液圧路１１４）を有する。このうち、第１共通液圧路１１２は、ホィールシリンダ３２ＦＲ，３２ＲＬ（３２ＲＲ，３２ＦＬ）にブレーキ液圧を供給する供給路となる。
ＶＳＡ装置１８は、レギュレータバルブ１１６と、第１チェックバルブ１１８と、第１インバルブ１２０と、第２チェックバルブ１２２と、第２インバルブ１２４と、第３チェックバルブ１２６とを備える。
【００７１】
レギュレータバルブ１１６は、導入ポート２６ａ（２６ｂ）と第１共通液圧路１１２との間に配置されたノーマルオープンタイプのソレノイドバルブからなる。第１チェックバルブ１１８は、レギュレータバルブ１１６と並列に配置され導入ポート２６ａ（２６ｂ）側から第１共通液圧路１１２側へのブレーキ液の流通を許容する（第１共通液圧路１１２側から導入ポート２６ａ（２６ｂ）側へのブレーキ液の流通を阻止する）。第１インバルブ１２０は、第１共通液圧路１１２と第１導出ポート２８ａ（第４導出ポート２８ｄ）との間に配置されたノーマルオープンタイプのソレノイドバルブからなる。第２チェックバルブ１２２は、第１インバルブ１２０と並列に配置され第１導出ポート２８ａ（第４導出ポート２８ｄ）側から第１共通液圧路１１２側へのブレーキ液の流通を許容する（第１共通液圧路１１２側から第１導出ポート２８ａ（第４導出ポート２８ｄ）側へのブレーキ液の流通を阻止する）。第２インバルブ１２４は、第１共通液圧路１１２と第２導出ポート２８ｂ（第３導出ポート２８ｃ）との間に配置されたノーマルオープンタイプのソレノイドバルブからなる。第３チェックバルブ１２６は、第２インバルブ１２４と並列に配置され第２導出ポート２８ｂ（第３導出ポート２８ｃ）側から第１共通液圧路１１２側へのブレーキ液の流通を許容する（第１共通液圧路１１２側から第２導出ポート２８ｂ（第３導出ポート２８ｃ）側へのブレーキ液の流通を阻止する）。
【００７２】
第１インバルブ１２０及び第２インバルブ１２４は、ホィールシリンダ３２ＦＲ，３２ＲＬ，３２ＲＲ，３２ＦＬに、ブレーキ液圧を供給する管路（第１共通液圧路１１２）を開閉する開閉手段である。そして、第１インバルブ１２０が閉弁すると、ホィールシリンダ３２ＦＲ，３２ＦＬへの第１共通液圧路１１２からのブレーキ液圧の供給が遮断される。また、第２インバルブ１２４が閉弁すると、ホィールシリンダ３２ＲＲ，３２ＲＬへの第１共通液圧路１１２からのブレーキ液圧の供給が遮断される。
【００７３】
さらに、ＶＳＡ装置１８は、第１アウトバルブ１２８と、第２アウトバルブ１３０と、リザーバ装置１３２と、第４チェックバルブ１３４と、ポンプ１３６と、吸入弁１３８及び吐出弁１４０と、モータＭと、サクションバルブ１４２とを備える。
第１アウトバルブ１２８は、第１導出ポート２８ａ（第４導出ポート２８ｄ）と第２共通液圧路１１４との間に配置されたノーマルクローズタイプのソレノイドバルブからなる。第２アウトバルブ１３０は、第２導出ポート２８ｂ（第３導出ポート２８ｃ）と第２共通液圧路１１４との間に配置されたノーマルクローズタイプのソレノイドバルブからなる。リザーバ装置１３２は、第２共通液圧路１１４に接続される。第４チェックバルブ１３４は、第１共通液圧路１１２と第２共通液圧路１１４との間に配置されて第２共通液圧路１１４側から第１共通液圧路１１２側へのブレーキ液の流通を許容する（第１共通液圧路１１２側から第２共通液圧路１１４側へのブレーキ液の流通を阻止する）。ポンプ１３６は、第４チェックバルブ１３４と第１共通液圧路１１２との間に配置されて第２共通液圧路１１４側から第１共通液圧路１１２側へブレーキ液を供給する。吸入弁１３８及び吐出弁１４０は、ポンプ１３６の前後に設けられる。モータＭはポンプ１３６を駆動する。サクションバルブ１４２は、第２共通液圧路１１４と導入ポート２６ａ（２６ｂ）との間に配置されたノーマルクローズタイプのソレノイドバルブからなる。
【００７４】
なお、第２ブレーキ系１１０ａにおいて、導入ポート２６ａに近接する管路（液圧路）上には、圧力センサＰｈが設けられる。圧力センサＰｈは、モータシリンダ装置１６の出力ポート２４ａから出力され、モータシリンダ装置１６の第２液圧室９８ａで制御されたブレーキ液圧を計測する。各圧力センサＰｍ，Ｐｐ，Ｐｈで計測された計測信号は、車両制御装置１５０に入力される。また、ＶＳＡ装置１８では、ＶＳＡ制御のほか、ＡＢＳ（アンチロックブレーキシステム）も制御可能である。
さらに、ＶＳＡ装置１８に代えて、ＡＢＳ機能のみを搭載するＡＢＳ装置が接続される構成であってもよい。
車両用ブレーキシステム１０は、基本的に以上のように構成される。次にその作用効果について説明する。
【００７５】
車両用ブレーキシステム１０が正常に機能する正常時には、ノーマルオープンタイプのソレノイドバルブからなる第２遮断弁６０ａ及び第１遮断弁６０ｂが励磁されて弁閉状態となる。また、ノーマルクローズタイプのソレノイドバルブからなる第３遮断弁６２が励磁されて弁開状態となる。従って、第２遮断弁６０ａ及び第１遮断弁６０ｂによって第２液圧系統７０ａ及び第１液圧系統７０ｂが遮断されている。このため、入力装置１４のマスタシリンダ３４で発生したブレーキ液圧がディスクブレーキ機構３０ａ〜３０ｄのホィールシリンダ３２ＦＲ，３２ＲＬ，３２ＲＲ，３２ＦＬに伝達されることはない。
【００７６】
このとき、マスタシリンダ３４の第１圧力室５６ｂで発生したブレーキ液圧は、分岐液圧路５８ｃ及び弁開状態にある第３遮断弁６２を経由してストロークシミュレータ６４の液圧室６５ａに供給される。この液圧室６５ａに供給されたブレーキ液圧によってシミュレータピストン６８が第１及び第２リターンスプリング６６ａ，６６ｂのばね力に抗して変位することにより、ブレーキペダル１２のストロークが許容される。さらに、擬似的なペダル反力を発生させてブレーキペダル１２に付与される。この結果、運転者にとって違和感のないブレーキフィーリングが得られる。
【００７７】
このようなシステム状態において、車両制御装置１５０は、運転者によるブレーキペダル１２の踏み込みを検出すると制動時と判定する。そして車両制御装置１５０は、モータシリンダ装置１６の電動モータ７２を駆動させてアクチュエータ機構７４を付勢し、第２リターンスプリング９６ａ及び第１リターンスプリング９６ｂのばね力に抗して第２スレーブピストン８８ａ及び第１スレーブピストン８８ｂを図３中の矢印Ｘ１方向に向かって変位させる。この第２スレーブピストン８８ａ及び第１スレーブピストン８８ｂの変位によって第２液圧室９８ａ及び第１液圧室９８ｂ内のブレーキ液がバランスするように加圧されて所望のブレーキ液圧が発生する。
【００７８】
具体的に、車両制御装置１５０は、ペダルストロークセンサＳｔの計測値に応じてブレーキペダル１２の踏み込み操作量（以下、適宜「ブレーキ操作量」と称する）を算出する。そして車両制御装置１５０は、算出したブレーキ操作量に基づいて、回生制動力を考慮した上で目標となるブレーキ液圧を設定し、設定したブレーキ液圧をモータシリンダ装置１６に発生させる。
【００７９】
車両制御装置１５０は、ブレーキ操作量に基づいて、目標となる制動力（運転者が要求する要求制動力Ｂｒｅｑ）を設定する。例えば、ブレーキ操作量と要求制動力Ｂｒｅｑの関係を示すマップが予め設定されて車両制御装置１５０の記憶部に記憶されている構成とすれば、車両制御装置１５０は当該マップを参照することによってブレーキ操作量に対応する要求制動力Ｂｒｅｑを設定できる。
【００８０】
また、車両制御装置１５０は、バッテリ２０２の充電率にもとづいて、回生制動力の発生が可能か否かを判定する。車両制御装置１５０は、バッテリ２０２の充電率が所定の閾値以下のときに回生制動力の発生が可能と判定する。回生制動力の発生が可能と判定した場合、車両制御装置１５０は、回生制御装置２０１に指令を与えて、電動機２００が発生する電力をバッテリ２０２に充電するように回生制御装置２０１を切り替える。つまり、車両制御装置１５０は、電動機２００を回生状態に切り替える。
また、車両制御装置１５０は、電動機２００が回生電力を発電することで生じる回生制動力を、設定した要求制動力Ｂｒｅｑから減算した制動力を算出し、算出した制動力を摩擦制動力の目標値に設定とする。さらに、車両制御装置１５０は、設定した目標値の摩擦制動力を発生させるブレーキ液圧を設定する。
【００８１】
そして、車両制御装置１５０は回生制御装置２０１を介して電動機２００を回生制御し、駆動輪（右側前輪ＷＦＲ，左側前輪ＷＦＬ）に回生制動力を付与する。さらに、車両制御装置１５０は、モータシリンダ装置１６を制御して、設定したブレーキ液圧を発生させる。これによって、モータシリンダ装置１６で発生したブレーキ液圧が導入ポート２６ａ，２６ｂからＶＳＡ装置１８に供給され、さらに、ＶＳＡ装置１８から各ホィールシリンダ３２ＦＲ，３２ＲＬ，３２ＲＲ，３２ＦＬに供給されて、摩擦制動力が全ての車輪、すなわち、駆動輪（右側前輪ＷＦＲ，左側前輪ＷＦＬ）と非駆動輪（左側後輪ＷＲＬ，右側後輪ＷＲＲ）に付与される。
【００８２】
つまり、第１実施形態の車両用ブレーキシステム１０は、車両制御装置１５０が設定するブレーキ液圧をモータシリンダ装置１６が発生し、さらに、モータシリンダ装置１６が発生したブレーキ液圧を各ホィールシリンダ３２ＦＲ，３２ＲＬ，３２ＲＲ，３２ＦＬに供給して全ての車輪に摩擦制動力が付与される。
このように、制動時の車両用ブレーキシステム１０は、駆動輪（右側前輪ＷＦＲ，左側前輪ＷＦＬ）に回生制動力と摩擦制動力が付与され、非駆動輪（右側後輪ＷＲＲ，左側後輪ＷＲＬ）に摩擦制動力が付与される。
【００８３】
なお、車両制御装置１５０は、バッテリ２０２の充電率が所定の閾値より高い場合に回生制動力の発生が不可能と判定する。この場合、車両制御装置１５０は、要求制動力Ｂｒｅｑを摩擦制動力の目標値とする。そして、車両制御装置１５０は、モータシリンダ装置１６を制御して目標値に相当する摩擦制動力を発生させる。これによって、駆動輪（右側前輪ＷＦＲ，左側前輪ＷＦＬ）と非駆動輪（右側後輪ＷＲＲ，左側後輪ＷＲＬ）に摩擦制動力が付与される。
【００８４】
なお、第１実施形態では、バッテリ２０２の充電率が所定の閾値より高い状態を「蓄電装置（バッテリ２０２）の所定の状態」とする。そして、車両制御装置１５０は、バッテリ２０２の充電率が所定の閾値より高い状態のときに回生制動力に替わって摩擦制動力を発生させる。
第１実施形態における「所定の状態」は、バッテリ２０２が充電不可能な状態を示す。したがって、「蓄電装置（バッテリ２０２）の所定の状態」は、充電率が所定の閾値より高い状態のほか、例えば、経年劣化などで充電できなくなった状態なども含むものとする。車両制御装置１５０がバッテリ２０２の経年劣化を判定する方法としては、バッテリ２０２が車両１に搭載されてからの期間を車両制御装置１５０が積算し、その積算値が所定の閾値を越えた時点で車両制御装置１５０がバッテリ２０２の経年劣化を判定するなどの方法がある。
【００８５】
また、車両制御装置１５０は、アクセルペダル７（図１参照）が解放されたとき、エンジンブレーキに相当する制動力を発生させる。車両制御装置１５０は、アクセルペダル７が解放されたとき、発生させる制動力の目標値Ｂｔｇｔを設定する。車両制御装置１５０は、車両１（図１参照）の車速値Ｖｃ等にもとづいて目標値Ｂｔｇｔを設定する。例えば、車速値Ｖｃと目標値Ｂｔｇｔの関係を示すマップが予め設定されて車両制御装置１５０の記憶部に記憶されている構成とすれば、車両制御装置１５０は当該マップを参照することによって車速値Ｖｃに対応する目標値Ｂｔｇｔを設定できる。
【００８６】
アクセルペダル７（図１参照）が解放されたとき、車両制御装置１５０は、回生制動力の発生が可能か否かを判定する。車両制御装置１５０は、回生制動力の発生が可能と判定した場合、回生制御装置２０１（図１参照）に指令を与えて電動機２００を回生状態に切り替える。そして車両制御装置１５０は、電動機２００が回生電力を発電することで生じる回生制動力で目標値Ｂｔｇｔに相当する制動力を発生する。これによって、車両１にエンジンブレーキ相当の回生制動力が発生する。
【００８７】
一方、回生制動力の発生が不可能と判定した場合、車両制御装置１５０は、目標値Ｂｔｇｔを摩擦制動力の目標値とする。そして、車両制御装置１５０は、モータシリンダ装置１６を制御して目標値Ｂｔｇｔに相当する摩擦制動力を発生させる。これによって、車両１にエンジンブレーキ相当の摩擦制動力が発生する。
このように、車両制御装置１５０は、アクセルペダル７（図１参照）が解放されたときに、エンジンブレーキに相当する制動力を回生制動力又は摩擦制動力で発生させる。
【００８８】
なお、ブレーキペダル１２の踏み込み操作量（ブレーキ操作量）を計測する操作量計測手段はペダルストロークセンサＳｔに限定されるものではなく、ブレーキペダル１２の踏み込み操作量を計測可能なセンサであればよい。例えば、操作量計測手段を圧力センサＰｍとして、圧力センサＰｍが計測するブレーキ液圧をブレーキペダル１２の踏み込み操作量に変換する構成であってもよいし、図示しない踏力センサによってブレーキペダル１２の踏み込み操作量（ブレーキ操作量）を計測する構成であってもよい。
【００８９】
モータシリンダ装置１６における第２液圧室９８ａ及び第１液圧室９８ｂのブレーキ液圧は、ＶＳＡ装置１８の弁開状態にある第１、第２インバルブ１２０，１２４を介してディスクブレーキ機構３０ａ〜３０ｄのホィールシリンダ３２ＦＲ，３２ＲＬ，３２ＲＲ，３２ＦＬに伝達される。このブレーキ液圧でホィールシリンダ３２ＦＲ，３２ＲＬ，３２ＲＲ，３２ＦＬが作動する。このようにホィールシリンダ３２ＦＲ，３２ＲＬ，３２ＲＲ，３２ＦＬが作動することによって各車輪（右側前輪ＷＦＲ，左側後輪ＷＲＬ，右側後輪ＷＲＲ，左側前輪ＷＦＬ）に所望の制動力が付与される。
【００９０】
換言すると、第１実施形態に係る車両用ブレーキシステム１０では、モータシリンダ装置１６やバイ・ワイヤ制御する車両制御装置１５０等が作動可能な正常時において、運転者がブレーキペダル１２を踏むことでブレーキ液圧を発生するマスタシリンダ３４と各車輪を制動するディスクブレーキ機構３０ａ〜３０ｄ（ホィールシリンダ３２ＦＲ，３２ＲＬ，３２ＲＲ，３２ＦＬ）との連通が第２遮断弁６０ａ及び第１遮断弁６０ｂで遮断される。この状態で、モータシリンダ装置１６が発生するブレーキ液圧でディスクブレーキ機構３０ａ〜３０ｄを作動させるという、いわゆるブレーキ・バイ・ワイヤ方式のブレーキシステムがアクティブになる。
【００９１】
一方、モータシリンダ装置１６等が作動不能となる異常時では、第２遮断弁６０ａ及び第１遮断弁６０ｂをそれぞれ弁開状態、第３遮断弁６２を弁閉状態としマスタシリンダ３４で発生するブレーキ液圧をディスクブレーキ機構３０ａ〜３０ｄ（ホィールシリンダ３２ＦＲ，３２ＲＬ，３２ＲＲ，３２ＦＬ）に伝達し、ディスクブレーキ機構３０ａ〜３０ｄ（ホィールシリンダ３２ＦＲ，３２ＲＬ，３２ＲＲ，３２ＦＬ）を作動させるという、いわゆる旧来の液圧式のブレーキシステムがアクティブになる。
【００９２】
車両制御装置１５０は、図３に示す構成の車両用ブレーキシステム１０を制御して、ブレーキペダル１２の踏み込み操作量に応じた制動力（摩擦制動力，回生制動力）を発生させる。また、車両制御装置１５０は、アクセルペダル７（図１参照）が解放されたとき、車両用ブレーキシステム１０を制御してエンジンブレーキに相当する制動力（摩擦制動力，回生制動力）を発生させる。
【００９３】
以上のように構成される車両１（図１参照）において、運転者がシフト装置６ｂ（図１参照）を操作して後進レンジを選択すると、車両制御装置１５０は車両１を後進状態に設定する。また、車両制御装置１５０は、アクセルペダル７（図１参照）の踏み込み操作量に応じた要求駆動力Ｐｒｅｑを設定する。さらに、車両制御装置１５０は、要求駆動力Ｐｒｅｑ相当の実駆動力Ｐｒｅａｌを電動機２００（図１参照）に発生させる。これによって、車両１は、アクセルペダル７の踏み込み操作量に応じた実駆動力Ｐｒｅａｌで後進する。
【００９４】
後進している車両１（図１参照）を前進させる場合、運転者は、ブレーキペダル１２（図１参照）を踏み込み操作して車両１に制動力を発生させ、車両１が停車してからシフト装置６ｂ（図１参照）を操作して車両１の前進を選択することが望ましい。
【００９５】
しかしながら、後進する車両１（図１参照）が停車しない状態でシフト装置６ｂ（図１参照）が操作されて前進レンジが選択され、さらに、アクセルペダル７（図１参照）が踏み込み操作される場合がある。
シフト装置６ｂで選択される走行レンジが後進レンジから前進レンジに切り替わったときに車両１が後進している場合（後進速度が発生している場合）、車両制御装置１５０（図１参照）は車両１に制動力を発生させる。このとき、バッテリ２０２（図１参照）の充電率が所定の閾値以下であれば、車両制御装置１５０は電動機２００を回生状態に切り替えて回生制動力を発生させる。
また、車両制御装置１５０は、シフト装置６ｂが操作されて後進レンジが選択されたときに車両１を後進状態に設定する。このとき、車両制御装置１５０は、アクセルペダル７の踏み込み操作量に応じた要求駆動力Ｐｒｅｑを設定する。
【００９６】
そして、車両制御装置１５０（図１参照）は、車速値Ｖｃが正の方向に増大して（後進速度が低下して）、予め設定される所定速度を示す値（切替速度値Ｖ１と称する）に達したとき、回生制御装置２０１（図１参照）に指令を与えて電動機２００を力行状態に切り替える。切替速度値Ｖ１は、後進している車両１（図１参照）に前進させる駆動力を付与可能な微速度に対応した値であることが好ましく、車両１の設計値として予め設定されている。
車両制御装置１５０は力行状態に切り替わった電動機２００を制御して、要求駆動力Ｐｒｅｑに相当する実駆動力Ｐｒｅａｌを出力させる。
【００９７】
なお、第１実施形態の車両１（図１参照）は、車速値Ｖｃが切替速度値Ｖ１以下のときに制動力が発生している。したがって、車両制御装置１５０（図１参照）は、車速値Ｖｃが切替速度値Ｖ１以下のときに車両１が制動状態であるとする。また、車速値Ｖｃが切替速度値Ｖ１より大きいときは車両１に制動力が発生しない。そして車両制御装置１５０は、車速値Ｖｃが切替速度値Ｖ１より大きいときに車両１が制動状態ではない通常状態とする。
【００９８】
車両１の走行レンジが前進レンジに切り替わったときにバッテリ２０２（図３参照）の充電率が所定の閾値より高い場合、車両制御装置１５０（図１参照）は、モータシリンダ装置１６（図３参照）を制御して摩擦制動力を発生させる。
そして、車速値Ｖｃが切替速度値Ｖ１まで増大したとき（後進速度が所定速度まで低下したとき）、車両制御装置１５０は摩擦制動力の発生を停止させる。
また、車両制御装置１５０は、電動機２００（図１参照）を制御して要求駆動力Ｐｒｅｑに相当する実駆動力Ｐｒｅａｌを出力させる。
【００９９】
車両１の走行レンジが前進レンジに切り替わったときに摩擦制動力が発生する場合、車速値Ｖｃが切替速度値Ｖ１まで増大したときに電動機２００（図１参照）は停止した状態から立ち上がって実駆動力Ｐｒｅａｌが出力する。
このとき、図２に示すように、要求駆動力Ｐｒｅｑの増大に対する実駆動力Ｐｒｅａｌの応答が一次遅れであると、切替速度値Ｖ１が示す速度で後進している車両１（図１参照）を前進させる駆動力が急増する。これによって、車両１の進行方向が後進から前進に急変し、運転者を含む搭乗者がショックを受ける。
【０１００】
そこで、第１実施形態の車両制御装置１５０（図１参照）は、後進している車両１（図１参照）においてシフト装置６ｂ（図１参照）が操作されて車両１の走行レンジが後進レンジから前進レンジに切り替わったとき、車両１に摩擦制動力が発生している場合には、車速値Ｖｃが切替速度値Ｖ１まで増大したときに電動機２００（図１参照）で発生する実駆動力Ｐｒｅａｌを緩やかに上昇させる。換言すると、車両制御装置１５０は、車両１が制動状態から通常状態に切り替わったときに、要求駆動力Ｐｒｅｑに一次遅れフィルタを作用させることなく電動機２００を制御する。車両制御装置１５０は、要求制動力Ｐｒｅｑに対する一次遅れよりも緩やかに実駆動力Ｐｒｅａｌが変化するように電動機２００を制御する。
【０１０１】
図４の（ａ）は、車速の変化を示す図、（ｂ）は、実駆動力が緩やかに上昇する状態を示す図である。図４の（ａ）は、縦軸が車速（車速値Ｖｃ）を示し、横軸が時間（Ｔ）を示す。図４の（ｂ）は、縦軸が駆動力（Ｐ）を示し、横軸が時間（Ｔ）を示す。また、破線が要求駆動力Ｐｒｅｑを示し、実線が実駆動力Ｐｒｅａｌを示す。また、一点鎖線は、実駆動力Ｐｒｅａｌに対する目標駆動力Ｐｔｇｔの時間変化を示し、二点鎖線は、要求駆動力Ｐｒｅｑの変化に対する一次遅れを示す。
【０１０２】
図４の（ａ）に示すように、後進している車両１（図１参照）において時刻ｔ０でシフト装置６ｂ（図１参照）が操作されて前進レンジが選択されると、車両制御装置１５０（図１参照）は、回生制動力の発生が可能か否かを判定する。回生制動力の発生が不可能の場合、車両制御装置１５０はモータシリンダ装置１６（図３参照）を制御して摩擦制動力を発生する。負の車速値Ｖｃが正の方向に増大する（後進速度が低下する）。このとき、車両制御装置１５０は、車両１を後進状態から前進状態に切り替える。さらに、車両制御装置１５０はアクセルペダル７（図１参照）の踏み込み操作量に応じて要求駆動力Ｐｒｅｑを設定する。
【０１０３】
時刻ｔ１で車速値Ｖｃが切替速度値Ｖ１まで増大すると、車両制御装置１５０（図１参照）は、モータシリンダ装置１６（図３参照）に指令を与えて摩擦制動力の発生を停止する。また、車両制御装置１５０は、図４の（ｂ）に示すように、電動機２００（図１参照）が出力する実駆動力Ｐｒｅａｌの目標値（目標駆動力Ｐｔｇｔ）を設定する。
【０１０４】
目標駆動力Ｐｔｇｔは、電動機２００（図１参照）が出力している実駆動力Ｐｒｅａｌと、要求駆動力Ｐｒｅｑと、の間の駆動力として設定される。
車両制御装置１５０（図１参照）は、例えば、車両１（図１参照）の車速値Ｖｃと、要求駆動力Ｐｒｅｑと、実駆動力Ｐｒｅａｌと、にもとづいて目標駆動力Ｐｔｇｔを設定する。例えば、車速値Ｖｃと、要求駆動力Ｐｒｅｑと、実駆動力Ｐｒｅａｌと、目標駆動力Ｐｔｇｔと、の関係を示すマップがあらかじめ設定されている。そして、車両制御装置１５０は、車速値Ｖｃと、要求駆動力Ｐｒｅｑと、実駆動力Ｐｒｅａｌにもとづいて当該マップを参照して目標駆動力Ｐｔｇｔを設定する。
【０１０５】
車両１（図１参照）が後進しているとき（Ｖｃ＜０）、目標駆動力Ｐｔｇｔをある程度大きくすることで車両１の後進を抑制して速やかに前進に切り替えることができる。しかしながら、目標駆動力Ｐｔｇｔが大きすぎると、後進している車両１を前進させる駆動力が急増するため搭乗者のショックが大きくなる。
そこで、搭乗者のショックが許容範囲に抑えられ、かつ、車両１の後進を抑制できる大きさとなる目標駆動力Ｐｔｇｔが、実駆動力Ｐｒｅａｌと要求駆動力Ｐｒｅｑの差や車速値Ｖｃなどに応じてあらかじめ設定されていればよい。
【０１０６】
また、車両１（図１参照）が前進に転じたとき（Ｖｃ＞０）、目標駆動力Ｐｔｇｔをある程度大きくすることで実駆動力Ｐｒｅａｌが速やかに要求駆動力Ｐｒｅｑに達する。しかしながら、目標駆動力Ｐｔｇｔが大きすぎると、実駆動力Ｐｒｅａｌが要求駆動力Ｐｒｅｑを超えるオーバーシュートが発生しやすくなる。
そこで、オーバーシュートの発生を好適に抑制でき、実駆動力Ｐｒｅａｌを可及的速やかに要求駆動力Ｐｒｅｑに収束できる目標駆動力Ｐｔｇｔが、実駆動力Ｐｒｅａｌと要求駆動力Ｐｒｅｑの差などに応じてあらかじめ設定されていればよい。
【０１０７】
車両制御装置１５０（図１参照）は、実駆動力Ｐｒｅａｌと要求駆動力Ｐｒｅｑの差や車速値Ｖｃに応じた目標駆動力Ｐｔｇｔを設定する。そして、車両制御装置１５０は、実駆動力Ｐｒｅａｌが目標駆動力Ｐｔｇｔになるように電動機２００（図１参照）を制御する。
【０１０８】
車両制御装置１５０は、電動機２００の実駆動力Ｐｒｅａｌが目標駆動力Ｐｔｇｔに達した時点で、そのときの車速値Ｖｃと実駆動力Ｐｒｅａｌに応じて新たな目標駆動力Ｐｔｇｔを設定する。
車両制御装置１５０は、目標駆動力Ｐｔｇｔが要求駆動力Ｐｒｅｑに達するまで、実駆動力Ｐｒｅａｌと要求駆動力Ｐｒｅｑの差や車速値Ｖｃと要求駆動力Ｐｒｅｑに応じて新たな目標駆動力Ｐｔｇｔを設定する。このように、車両制御装置１５０は目標駆動力Ｐｔｇｔを随時更新して実駆動力Ｐｒｅａｌを目標駆動力Ｐｔｇｔに追従させる。図４の（ｂ）に実線で示すように、目標駆動力Ｐｔｇｔ（一点鎖線）の上昇に応じて実駆動力Ｐｒｅａｌが上昇する。
【０１０９】
車両制御装置１５０は、目標駆動力Ｐｔｇｔが要求駆動力Ｐｒｅｑに達し、さらに、実駆動力Ｐｒｅａｌが目標駆動力Ｐｔｇｔ（要求駆動力Ｐｒｅｑ）に達した時刻ｔ２で、実駆動力Ｐｒｅａｌが要求駆動力Ｐｒｅｑに達した（収束した）と判定する。そして車両制御装置１５０は、実駆動力Ｐｒｅａｌを要求駆動力Ｐｒｅｑに維持する。これによって、要求駆動力Ｐｒｅｑに相当する実駆動力Ｐｒｅａｌが電動機２００で発生し、車両１（図１参照）は、アクセルペダル７（図１参照）の踏み込み操作量に応じて走行する。
【０１１０】
このように、第１実施形態の車両制御装置１５０（図１参照）は、車両１（図１参照）が後進している状態で走行レンジが後進レンジから前進レンジに切り替わった場合、要求駆動力Ｐｒｅｑに対して一次遅れフィルタを作用させることなく電動機２００（図１参照）を制御する。つまり、車両１が進行（後進）している状態でシフト装置６ｂ（図１参照）が操作されて、車両１の進行方向を逆行（前進）させる走行レンジが選択されたときに、車両制御装置１５０が、要求駆動力Ｐｒｅｑの変化に対して一次遅れフィルタを作用させることなく電動機２００を制御する構成である。
【０１１１】
これによって、要求駆動力Ｐｒｅｑの増大に対して一次遅れで増大するよりも緩やかに実駆動力Ｐｒｅａｌが増大する。そして、車両１の進行方向が、後進から前進に急変することが抑制されて搭乗者が受けるショックが軽減される。
【０１１２】
なお、図４の（ｂ）に破線Ｐｒｅｑ（２）で示すように、車両１（図１参照）が後進している状態（Ｖｃ＜０）から要求駆動力Ｐｒｅｑが変わらない場合もある。つまり、車両１が後進している状態から継続してアクセルペダル７（図１参照）が踏み込み操作され、アクセルペダル７の踏み込み操作量に応じた実駆動力Ｐｒｅａｌを発生させるときに一次遅れフィルタが作用する場合もある。この場合、破線で示す要求駆動力Ｐｒｅｑに沿って実駆動力Ｐｒｅａｌが上昇する。このような場合にシフト装置６ｂ（図１参照）で選択される走行レンジが後進レンジから前進レンジに切り替わったとき、車両制御装置１５０（図１参照）が電動機２００（図１参照）を回生状態に切り替えると実駆動力Ｐｒｅａｌは「０」になる。したがって、実駆動力Ｐｒｅａｌは要求駆動力Ｐｒｅｑより低くなる。
【０１１３】
そして車両制御装置１５０（図１参照）は、時刻ｔ１で車速値Ｖｃが切替速度値Ｖ１まで増大すると電動機２００（図１参照）を力行状態に切り替える。さらに車両制御装置１５０は、「０」になっている実駆動力Ｐｒｅａｌを要求駆動力Ｐｒｅｑまで上昇させる。このとき、車両制御装置１５０は、一次遅れフィルタを作用させることなく実駆動力Ｐｒｅａｌを上昇させる。これによって、「０」まで低下した実駆動力Ｐｒｅａｌが緩やかに増大する。そして、車両１の進行方向が、後進から前進に急変することが抑制されて搭乗者が受けるショックが軽減される。
【０１１４】
図５は、車両制御装置が要求駆動力に一次遅れフィルタを作用させることなく電動機を制御することを決定するロジックを示すフローチャートである。車両制御装置１５０は、後進している車両１の走行レンジが後進レンジから前進レンジに切り替わったとき（つまり、シフト装置６ｂが選択する走行レンジが後進レンジから前進レンジに切り替わったとき）に、回生制動力の発生が不可能な場合に、図５に示すロジックを実行する。
図５のフローチャートで示すロジックを説明する（適宜、図１〜４参照）。
【０１１５】
車両制御装置１５０は、後進している車両１の走行レンジが後進レンジから前進レンジに切り替わったときに摩擦制動力を発生させる。車両制御装置１５０は、この状態を制動状態とし、制動状態であることを示す制動状態フラグＦ＿ＢＲＫに１をセットする（ステップＳ１）。そして、車両制御装置１５０は手順をステップＳ２に進める。なお、制動状態フラグＦ＿ＢＲＫは、車両１が制動状態ではない通常状態のときに０がセットされる。
車両制御装置１５０は、制動状態フラグＦ＿ＢＲＫが１の場合（ステップＳ２→Ｙｅｓ）、手順をステップＳ３に進める。また、制動状態フラグＦ＿ＢＲＫが０の場合（ステップＳ２→Ｎｏ）、手順をステップＳ７に進める。
【０１１６】
ステップＳ３で、車両制御装置１５０は、制動状態であるか否かを判定する。ステップＳ３で車両制御装置１５０は、車速値Ｖｃが切替速度値Ｖ１以下のとき（ステップＳ３→Ｙｅｓ）、制動状態であると判定してフィルタ停止フラグＦ＿ＦＲＥＳＥＴに０をセットする（ステップＳ５）。そして、車両制御装置１５０は手順をステップＳ２に戻す。車両制御装置１５０は、フィルタ停止フラグＦ＿ＦＲＥＳＥＴが０のとき、要求駆動力Ｐｒｅｑに対して一次遅れフィルタを作用させて電動機２００を制御する。
【０１１７】
ステップＳ３で車速値Ｖｃが切替速度値Ｖ１より大きいとき（ステップＳ３→Ｎｏ）、車両制御装置１５０は制動状態ではないと判定してフィルタ停止フラグＦ＿ＦＲＥＳＥＴに１をセットする（ステップＳ４）。そして、車両制御装置１５０は、制動状態フラグＦ＿ＢＲＫに０をセットし（ステップＳ６）、ステップＳ２に手順を戻す。制動状態フラグＦ＿ＢＲＫに０がセットされているため（ステップＳ２→Ｎｏ）、車両制御装置１５０は手順をステップＳ７に進める。車両制御装置１５０は、フィルタ停止フラグＦ＿ＦＲＥＳＥＴが１のとき、要求駆動力Ｐｒｅｑの変化に対して一次遅れフィルタを作用させることなく電動機２００を制御する。
【０１１８】
車両制御装置１５０は、要求駆動力Ｐｒｅｑの変化に対して一次遅れフィルタを作用させることなく電動機２００を制御した後、ステップＳ７でフィルタ停止フラグＦ＿ＦＲＥＳＥＴに０をセットし、このロジックを終了する。
【０１１９】
図５のフローチャートで示すように、車両制御装置１５０は、制動状態から通常状態（制動状態ではない状態）に切り替わったときに、フィルタ停止フラグＦ＿ＦＲＥＳＥＴに１をセットする。したがって、制動状態から通常状態に切り替わったときに、車両制御装置１５０は、要求駆動力Ｐｒｅｑの変化に一次遅れフィルタを作用させることなく、実駆動力Ｐｒｅａｌを発生させることができる。
【０１２０】
これによって、制動状態から通常状態に切り替わったときに、緩やかに実駆動力Ｐｒｅａｌが増大する。そして、車両１の進行方向が、後進から前進に急変することが抑制されて搭乗者が受けるショックが軽減される。
【０１２１】
《第２実施形態》
図４の（ａ）に示すように、第１実施形態に係る車両１（図１参照）は、車速値Ｖｃが切替速度値Ｖ１に達した時刻ｔ１で摩擦制動力の発生が停止すると車速値Ｖｃの増大（後進速度の低下）が緩やかになる。後進速度が緩やかに低下すると、運転者が加速度抜けを感じる場合がある。
【０１２２】
そこで、第２実施形態の車両制御装置１５０（図１参照）は、後進している車両１の走行レンジが前進レンジに切り替わった場合、車両１が停車したと判定するまで摩擦制動力の発生を停止しない。つまり、第２実施形態は、後進する車両１（図１参照）が停車したと判定されたときに、車両制御装置１５０（図１参照）が摩擦制動力の発生を停止して目標駆動力Ｐｔｇｔを設定するように構成される。そして、車両制御装置１５０が電動機２００（図１参照）を制御して目標駆動力Ｐｔｇｔに相当する実駆動力Ｐｒｅａｌを出力させるように構成される。
【０１２３】
第２実施形態の車両制御装置１５０（図１参照）は、車速値Ｖｃが所定の速度基準値Ｖ０以上になったときに車両１が停車したと判定する。
なお、第２実施形態に係る車両１の構成は、第１実施形態と同等とする。
【０１２４】
図６の（ａ）は、第２実施形態における車速の変化を示す図、（ｂ）は、車速が基準速度になってから実駆動力が上昇する状態を示す図である。図６の（ａ）は、縦軸が車速（車速値Ｖｃ）を示し、横軸が時間（Ｔ）を示す。また、図６の（ｂ）は、縦軸が駆動力（Ｐ）を示し、横軸が時間（Ｔ）を示す。また、破線が要求駆動力Ｐｒｅｑを示し、実線が実駆動力Ｐｒｅａｌを示す。また、一点鎖線は、実駆動力Ｐｒｅａｌに対する目標駆動力Ｐｔｇｔの時間変化を示す。
【０１２５】
図６の（ａ）に示すように、時刻ｔ０で走行レンジが後進レンジから前進レンジに切り替わると、車両制御装置１５０（図１参照）は、回生制動力の発生が不可能の場合、モータシリンダ装置１６（図３参照）を制御して摩擦制動力を発生する。負となっている車速値Ｖｃが正の方向に増大（後進速度が低下）する。このとき、車両制御装置１５０は、車両１（図１参照）を後進状態から前進状態に切り替える。
【０１２６】
時刻ｔ１で車速値Ｖｃが切替速度値Ｖ１に達しても、車両制御装置１５０は摩擦制動力の発生を停止しない。
その後、時刻ｔ１’で車速値Ｖｃが所定の速度基準値Ｖ０に達すると、車両制御装置１５０（図１参照）は車両１（図１参照）が停車したと判定する。速度基準値Ｖ０は、車両１が停車したと判定される速度に対応する値であって０の近傍の値（例えば、０）であることが好ましい。つまり、第２実施形態では、第１実施形態の切替速度値Ｖ１が示す所定速度を、車両１が停車したと判定される速度に置き換える。速度基準値Ｖ０が０の場合、所定速度は速度ゼロになる。
【０１２７】
車両制御装置１５０は、車速値Ｖｃが速度基準値Ｖ０に達したときに後進速度が所定速度になって車両１が停車したと判定する。そして車両制御装置１５０は、モータシリンダ装置１６（図３参照）に指令を与えて摩擦制動力の発生を停止する。また、車両制御装置１５０は、図６の（ｂ）に示すように目標駆動力Ｐｔｇｔを設定する。
【０１２８】
その後、車両制御装置１５０は、実駆動力Ｐｒｅａｌが目標駆動力Ｐｔｇｔになるように電動機２００（図１参照）を制御する。図６の（ｂ）に一点鎖線で示すように、車両制御装置１５０は、目標駆動力Ｐｔｇｔを随時更新する。また、車両制御装置１５０は、図６の（ｂ）に実線で示すように、実駆動力Ｐｒｅａｌを目標駆動力Ｐｔｇｔ（一点鎖線）に追従させる。目標駆動力Ｐｔｇｔの上昇に応じて実駆動力Ｐｒｅａｌが上昇する。そして、車両制御装置１５０は、要求駆動力Ｐｒｅｑに達した目標駆動力Ｐｔｇｔに実駆動力Ｐｒｅａｌが達した時刻ｔ２で、実駆動力Ｐｒｅａｌが要求駆動力Ｐｒｅｑに達したと判定する。
【０１２９】
車両１（図１参照）が後進している時刻ｔ０で走行レンジが後進レンジから前進レンジに切り替わっても車両１が停車したと判定される時刻ｔ１’まで摩擦制動力が発生する。このため、図６の（ａ）に示すように、時刻ｔ１’で車両１が停車するまで車速値Ｖｃが速やかに正の方向に増大する（後進速度が速やかに低下する）。これによって、運転者が感じる加速度抜けが軽減される。
【０１３０】
なお、第２実施形態においても、第１実施形態と同様に車両１（図１参照）が後進している状態（Ｖｃ＜０）から要求駆動力Ｐｒｅｑが変わらない場合（アクセルペダル７（図１参照）が継続して踏み込み操作されている場合）がある。このような場合、車両制御装置１５０（図１参照）は車両１が停車したと判定したあと、第１実施形態と同様に実駆動力Ｐｒｅａｌを緩やかに上昇させる。これによって、第１実施形態と同様に搭乗者が受けるショックを軽減できる。
【０１３１】
図７は、第２実施形態の車両制御装置が要求駆動力に一次遅れフィルタを作用させることなく電動機を制御することを決定するロジックを示すフローチャートである。
車両制御装置１５０（図１参照）は、後進している車両１（図１参照）の走行レンジが後進レンジから前進レンジに切り替わったときに、回生制動力の発生が不可能な場合に、図７に示すロジックを実行する。
図７のフローチャートで示すロジックを説明する（適宜、図１〜４参照）。
【０１３２】
車両制御装置１５０は、制動状態フラグＦ＿ＢＲＫに１をセットする（ステップＳ１０）。そして、車両制御装置１５０は、車速値Ｖｃと速度基準値Ｖ０を比較する（ステップＳ１１）。車両制御装置１５０は、車速値Ｖｃが速度基準値Ｖ０以上のとき（ステップＳ１１→Ｎｏ）、車両１が停車したと判定して停車フラグＦ＿ＳＴＯＰに１をセットする（ステップＳ１２）。そして、車両制御装置１５０は手順をステップＳ１４に進める。停車フラグＦ＿ＳＴＯＰは、車両１が停車したことを示すフラグである。車速値Ｖｃが速度基準値Ｖ０より小さいとき（ステップＳ１１→Ｙｅｓ）、車両制御装置１５０は、停車フラグＦ＿ＳＴＯＰに０をセットし（ステップＳ１３）、手順をステップＳ１４に進める。
【０１３３】
制動状態フラグＦ＿ＢＲＫが１のとき（ステップＳ１４→Ｙｅｓ）、車両制御装置１５０は手順をステップＳ１５に進める。また、制動状態フラグＦ＿ＢＲＫが０のとき（ステップＳ１４→Ｎｏ）、車両制御装置１５０は手順をステップＳ１９に進める。
【０１３４】
ステップＳ１５で、車両制御装置１５０は車速値Ｖｃと切替速度値Ｖ１を比較する。車両制御装置１５０は、車速値Ｖｃが切替速度値Ｖ１以下のとき（ステップＳ１５→Ｙｅｓ）、フィルタ停止フラグＦ＿ＦＲＥＳＥＴに０をセットする（ステップＳ１６）。そして、車両制御装置１５０は手順をステップＳ１４に戻す。
【０１３５】
車速値Ｖｃが切替速度値Ｖ１より大きいとき（ステップＳ１５→Ｎｏ）、車両制御装置１５０はフィルタ停止フラグＦ＿ＦＲＥＳＥＴに１をセットする（ステップＳ１７）。そして、車両制御装置１５０は、制動状態フラグＦ＿ＢＲＫに０をセットし（ステップＳ１８）、ステップＳ１４に手順を戻す。
【０１３６】
ステップＳ１９で、車両制御装置１５０は、停車フラグＦ＿ＳＴＯＰに１がセットされているか否かを判定する。停車フラグＦ＿ＳＴＯＰに１がセットされている場合（ステップＳ１９→Ｙｅｓ）、車両制御装置１５０は、要求駆動力Ｐｒｅｑの変化に対して一次遅れフィルタを作用させることなく電動機２００を制御した後、フィルタ停止フラグＦ＿ＦＲＥＳＥＴに０をセットし（ステップＳ２０）、このロジックを終了する。停車フラグＦ＿ＳＴＯＰに１がセットされていない場合（ステップＳ１９→Ｎｏ）、車両制御装置１５０は手順をステップＳ１１に戻す。
【０１３７】
図７のフローチャートで示すように、第２実施形態の車両制御装置１５０（図１参照）は、後進している車両１（図１参照）の走行レンジが後進レンジから前進レンジに切り替わったとき、車速値Ｖｃが切替速度値Ｖ１に達してから速度基準値Ｖ０に達するまでの間は、要求駆動力Ｐｒｅｑに対して一次遅れフィルタを作用させることなく電動機２００（図１参照）を制御する。
これによって、後進している車両１の走行レンジが後進レンジから前進レンジに切り替わったときに搭乗者が感じるショックが軽減される。
特に、車両１が停車したと判定される速度に対応した速度基準値Ｖ０にすることで、後進している車両１が停車した後で前進する実駆動力Ｐｒｅａｌが発生し、搭乗者が感じるショックがより効果的に軽減される。
【０１３８】
以上のように、図１に示す車両制御装置１５０は、車両１が後進している状態で走行レンジが後進レンジから前進レンジに切り替わった場合、摩擦制動力が発生している（回生制動力が発生していない）ときには、実駆動力Ｐｒｅａｌが緩やかに増大するように電動機２００を制御する。
これによって、車両１は後進状態から前進状態に緩やかに移行し、搭乗者が受けるショックが軽減される。
【０１３９】
なお、第２実施形態においても、後進する車両１（図１参照）が停車しない状態でシフト装置６ｂ（図１参照）が操作されて前進レンジが選択されるときに、アクセルペダル７（図１参照）が踏み込み操作される場合がある。従来、このようなときに車両制御装置１５０（図１参照）は、要求駆動力Ｐｒｅｑに対して一次遅れフィルタを作用して電動機２００（図１参照）を制御する。第２実施形態において車両用制御手段１５０は、このようにアクセルペダル７が踏み込み操作される場合であっても一次遅れフィルタを作用させることなく電動機２００を制御する。これによって、車両１は後進状態から前進状態に緩やかに移行し、搭乗者が受けるショックが軽減される。
【０１４０】
なお、本発明は、発明の趣旨を逸脱しない範囲において適宜設計変更が可能である。
例えば、図１に示す車両制御装置１５０は、後進している車両１の走行レンジが後進レンジから前進レンジに切り替わったとき、回生制動力を発生できない場合に、要求駆動力Ｐｒｅｑに対して一次遅れフィルタを作用させることなく電動機２００を制御する。
この構成に加え、前進している車両１の走行レンジが前進レンジから後進レンジに切り替わったとき、回生制動力を発生できない場合に、車両制御装置１５０が、要求駆動力Ｐｒｅｑに対して一次遅れフィルタを作用させることなく電動機２００を制御する構成であってもよい。
【０１４１】
つまり、車両１が進行（前進）している状態でシフト装置６ｂが操作されて、車両１の走行レンジが、進行方向を逆行させる走行レンジに切り替わる場合に、車両制御装置１５０が要求駆動力Ｐｒｅｑに対して一次遅れフィルタを作用させることなく電動機２００を制御する構成であってもよい。
この場合、車両制御装置１５０は、車速値Ｖｃ（Ｖｃ＞０）が、予め設定される所定の値（切替速度値Ｖ１に相当する値）まで低下したときに制動状態から通常状態に切り替わったと判定し、実駆動力Ｐｒｅａｌが緩やかに増大するように電動機２００を制御する構成とすればよい。
【０１４２】
また、図１に示す車両制御装置１５０は、車両１が後進しているときに車両１の走行レンジが後進レンジから前進レンジに切り替わった場合、摩擦制動力を発生して車速値Ｖｃを正の方向に増大させる（後進速度を低下させる）。そして、車速値Ｖｃが切替速度値Ｖ１まで増大したとき（図４の（ｂ）に示す時刻ｔ１）、車両制御装置１５０は摩擦制動力の発生を停止させる。このとき、図８に示すように、摩擦制動力が漸減するように車両制御装置１５０がモータシリンダ装置１６（図３参照）を制御する構成であってもよい。図８は、摩擦制動力が漸減する状態を示す図であり、縦軸が駆動力（Ｐ）、横軸が時間（Ｔ）を示す。また、実線が実駆動力Ｐｒｅａｌ、破線が要求駆動力Ｐｒｅｑ、二点鎖線が摩擦制動力（Ｐｆとする）を示している。なお、図８の二点鎖線は、摩擦制動力Ｐｆを駆動力に換算したものである。
【０１４３】
この場合、実駆動量Ｐｒｅａｌの変化率（増加率）が摩擦制動力Ｐｆの変化率（減少率）よりも小さいことが好ましい。つまり、車両制御装置１５０は、摩擦制動力Ｐｆが低下する割合よりも低い割合で実駆動力Ｐｒｅａｌを変化させることが好ましい。例えば、図８に示すように、実駆動力Ｐｒｅａｌが要求駆動力Ｐｒｅｑに達する時刻ｔ２よりも前の時刻ｔ２’で、摩擦制動力Ｐｆの発生が停止することが好ましい。
このような構成であれば、摩擦制動力Ｐｆの発生が停止するまで車速値Ｖｃが緩やかに正の方向に増大（後進速度が緩やかに低下）する。したがって、摩擦制動力Ｐｆから実駆動力Ｐｒｅａｌへの変換が滑らかになり、実駆動力Ｐｒｅａｌによる進行方向の変更（後進から前進）がより緩やかになり、搭乗者が感じるショックがより効果的に軽減される。また、摩擦制動力Ｐｆの減少率が実駆動量Ｐｒｅａｌの増加率よりも大きいため、実駆動量Ｐｒｅａｌによる加速（前進）が摩擦制動力Ｐｆで必要以上に抑制されない。したがって、運転者が大きな加速度抜けを感じることがない。
【符号の説明】
【０１４４】
１      車両
６ｂ    シフト装置
７      アクセルペダル
１０    車両用ブレーキシステム（液圧発生装置）
３２ＦＲ，３２ＲＬ，３２ＲＲ，３２ＦＬ  ホィールシリンダ（摩擦制動力発生装置）
１５０  車両制御装置
２００  電動機
２０１  回生制御装置
２０２  バッテリ（蓄電装置）
【図１】
2016010299.tif 000003
【図２】
2016010299.tif 000004
【図３】
2016010299.tif 000005
【図４】
2016010299.tif 000006
【図５】
2016010299.tif 000007
【図６】
2016010299.tif 000008
【図７】
2016010299.tif 000009
【図８】
2016010299.tif 000010